(57)【特許請求の範囲】
【請求項１】
基板の一側に先端部を先割して対向先割部とした断面円形の嵌入突部及び該嵌入突部の外側に突出した複数の転び止めピンを，基板の他側に連結頸部を介して上下方向に蟻形をなす蟻形突起を一体成型したジョイント部材を形成し，該ジョイント部材の上記嵌入突部を発泡樹脂充填の横桟端部の円形の嵌入孔に嵌入し，転び止めピンを該横桟端部の差込み孔に挿入して横桟外側面から嵌入突部の対向先割部に螺入したネジで該対向先割部を拡開する一方，該ジョイント部材の連結頸部を中空支柱長手方向端部の矩形切欠溝に挟持状に受入れ保持するとともにその上記蟻形突起を中空支柱に固定した支柱キャップ嵌入脚に配置した対向端面を厚肉傾斜した引寄切欠溝によって中空支柱内方に挟持状に引寄保持し且つ該支柱キャップを中空支柱に固定してなることを特徴とする桟組体横桟の支柱取付装置。
【請求項２】
上記ジョイント部材の嵌入突部の対向先割部を一対のスリットによって３区分して外側一対の拡開部と中間の邪魔板とを備え，上記横桟外側面から該対向先割部に螺入したネジを該邪魔板に突当ててこれを押圧することにより嵌入突部一対の拡開部双方をＶ字状に拡開させてそのアンカー作用によってジョイント部材の横桟に対する固定強度を確保してなることを特徴とする請求項１に記載の桟組体横桟の支柱取付装置。
【請求項３】
上記桟組体横桟の支柱取付装置を桟組体の上位横桟用とし，これに加えて，基板の一側に先端部を先割して対向先割部とした断面円形の嵌入突部及び該嵌入突部の外側に突出した複数の転び止めピンを一体成型したジョイント部材を形成し，該ジョイント部材の上記嵌入突部を発泡樹脂充填の横桟端部の円形の嵌入孔に嵌入し，転び止めピンを該横桟端部の差込み孔に挿入して横桟外側面から嵌入突部の対向先割部に螺入したネジで該対向先割部を拡開する一方，中空支柱に添設固定したピース状外れ止め部材の受入溝又は受入段部に上記ジョイント部材の下端を受入れてその外れ止めを行なうことによって，上記上位横桟と同時に中空支柱に取付ける下位横桟の外れ止め手段を追加的に備えてなることを特徴とする請求項１又は２に記載の桟組体横桟の支柱取付装置。
【発明の詳細な説明】
【０００１】
【産業上の利用分野】
本発明は，フェンス，手摺等の桟組体を支柱に取付け又は支柱を介して連結するように用いる桟組体横桟の支柱取付装置に関する。
【０００２】
【従来の技術】
この種桟組体横桟の支柱取付装置は，例えば左右に螺着部を張出し突設した基板の一側にアルミ押出材等中空の横桟端部嵌入用の嵌入嵌合突部を有する一体成型のジョイント部材を用い，嵌入嵌合突部を横桟端部に嵌入螺着して，中空支柱の外側面に螺着部を添設螺着し，或いはこれを桟組体の上位横桟用とし，これに加えて，基板の一側に同じく下位横桟端部嵌入用の嵌入突部を有する一体成型のジョイント部材を用い，基板を中空支柱に添設螺着する下位横桟取付手段を備えて，下位横桟のジョイント部材を基準に上下位横桟を中空支柱に同時取付するようにしたものとされる。
【０００３】
【発明が解決しようとする課題】
しかし乍らこれらの場合，ジョイント部材は中空支柱の外側面に添設螺着するものとされるから，取付強度はジョイント部材から中空支柱に対して螺入したネジに依存することになるところ，桟組体の設置場所で受ける振動，外力，屋外設置のときの熱膨張係数に起因する横桟の伸縮等によってネジが緩んだ場合には，充分な取付強度が得られなくなったり，中空支柱と横桟間に隙間を生じたりする可能性が残っており，更に上記ジョイント部材の添設螺着位置の中空支柱における位置出しが，必ずしも容易でなく，作業の煩雑性を招く可能性が残り，特に後者の場合には，中空支柱長手方向下方に添設螺着した下位横桟のジョイント部材を基準として上下位横桟を同時取付するから，そのジョイント部材の位置出しはより煩雑となり易い。
【０００４】
本発明はかかる事情に鑑みてなされたもので，その解決課題とする処は，長期に亘って中空支柱に対する発泡樹脂充填の横桟用にしてその充分な取付強度を確保するとともに取付作業を可及的に容易化した桟組体横桟の支柱取付装置を提供するにある。
【０００５】
【課題を解決するための手段】
上記課題に添って本発明は，桟組体の発泡樹脂充填の横桟を中空支柱に取付けるについて，該発泡樹脂充填の横桟に好適なジョイント部材を用いて，これを中空支柱長手方向端部の矩形切欠溝に端部から落し込み状乃至挿入状に装着することにより，中空支柱に対するジョイント部材の自動的な位置出しを行うようにして取付作業の容易化を図り，また上記中空支柱に装着したジョイント部材を，中空支柱内において該中空支柱に固定した支柱キャップによって中空支柱内方に引寄保持することによって，緩みのない中空支柱に対するジョイント部材の保持を行い，該ジョイント部材に接合した横桟の中空支柱に対する長期に亘る充分な取付強度を確保するようにしたものであって，即ち請求項１に記載の発明を，基板の一側に先端部を先割して対向先割部とした断面円形の嵌入突部及び該嵌入突部の外側に突出した複数の転び止めピンを，基板の他側に連結頸部を介して上下方向に蟻形をなす蟻形突起を一体成型したジョイント部材を形成し，該ジョイント部材の上記嵌入突部を発泡樹脂充填の横桟端部の円形の嵌入孔に嵌入し，転び止めピンを該横桟端部の差込み孔に挿入して横桟外側面から嵌入突部の対向先割部に螺入したネジで該対向先割部を拡開する一方，該ジョイント部材の連結頸部を中空支柱長手方向端部の矩形切欠溝に挟持状に受入れ保持するとともにその上記蟻形突起を中空支柱に固定した支柱キャップ嵌入脚に配置した対向端面を厚肉傾斜した引寄切欠溝によって中空支柱内方に挟持状に引寄保持し且つ該支柱キャップを中空支柱に固定してなることを特徴とする桟組体横桟の支柱取付装置としたものである。
【０００６】
請求項２に記載の発明は，上記に加えて，上記ジョイント部材の対向先割部が発泡樹脂充填の横桟に対してアンカー作用を確保したものとするように，これを，上記ジョイント部材の嵌入突部の対向先割部を一対のスリットによって３区分して外側一対の拡開部と中間の邪魔板とを備え，上記横桟外側面から該対向先割部に螺入したネジを該邪魔板に突当ててこれを押圧することにより嵌入突部一対の拡開部双方をＶ字状に拡開させてそのアンカー作用によってジョイント部材の横桟に対する固定強度を確保してなることを特徴とする請求項１に記載の桟組体横桟の支柱取付装置としたものである。
【０００７】
請求項３に記載の発明は，同じく上記に加えて，上記支柱取付装置を上位横桟用とする一方，該上位横桟と同時に中空支柱に取付ける下位横桟の外れ止め手段を追加的に備えることによって，容易な作業によってこれら上下位横桟を同時取付し得るものとするように，これを，上記桟組体横桟の支柱取付装置を桟組体の上位横桟用とし，これに加えて，基板の一側に先端部を先割して対向先割部とした断面円形の嵌入突部及び該嵌入突部の外側に突出した複数の転び止めピンを一体成型したジョイント部材を形成し，該ジョイント部材の上記嵌入突部を発泡樹脂充填の横桟端部の円形の嵌入孔に嵌入し，転び止めピンを該横桟端部の差込み孔に挿入して横桟外側面から嵌入突部の対向先割部に螺入したネジで該対向先割部を拡開する一方，中空支柱に添設固定したピース状外れ止め部材の受入溝又は受入段部に上記ジョイント部材の下端を受入れてその外れ止めを行なうことによって，上記上位横桟と同時に中空支柱に取付ける下位横桟の外れ止め手段を追加的に備えてなることを特徴とする請求項１又は２に記載の桟組体横桟の支柱取付装置としたものである。
【０００８】
本発明はこれらをそれぞれ発明の要旨とした上記課題解決の手段としたものである。
【０００９】
【実施例】
以下実施例を示す図面に従って本発明を更に具体的に説明すれば，Ａは桟組体のフェンス，１，２はそれぞれ該フェンスＡの上下位の横桟，３は横桟１，２間に架設した縦桟，２０はフェンスＡ間に介設しこれを連結するようにフェンスＡの上下位横桟１，２を取付けする中空支柱をそれぞれ示す。
【００１０】
本例においてフェンスＡは，発泡樹脂７を充填した上下位の横桟１，２及び縦桟３を用いて，これらを桟組みしたものとしてあり，即ち横桟１，２及び縦桟３は，アルミ薄板をロールフォーミングしてそれぞれ薄肉の成型外皮４を形成し，アルミ薄板端部接曲接合の直前にウレタン樹脂を注入して，成型外皮４内で発泡した発泡充填の方法によって，上記発泡樹脂７を充填したものとし，その桟組みは，横桟１，２の対向面に起立した起立フイン５に，図示省略の切欠溝を切欠加工し，これに縦桟３両端の接合突条６を圧入し，起立フイン５跨設状に縦桟３を配設して，パンチングの抜止めを施す等することによって行っている（この詳細については本出願人の特開平８−２８４４８３号又は特開平８−２９６３４９号参照）。
【００１１】
この上下位横桟１，２の中空支柱に２０に対する取付けは，上位横桟１において，基板３２の一側に先端部を先割して対向先割部とした断面円形の嵌入突部３５及び該嵌入突部３５の外側に突出した複数の転び止めピン３４を，基板３２の他側に連結頸部４０を介して上下方向に蟻形をなす蟻形突起４１を一体成型したジョイント部材３０を形成し，該ジョイント部材３０の上記嵌入突部３５を発泡樹脂７充填の横桟１端部の円形の嵌入孔８に嵌入し，転び止めピン３４を該横桟１端部の差込み孔９に挿入して横桟１外側面から嵌入突部３５の対向先割部に螺入したネジ３９で該対向先割部を拡開する一方，該ジョイント部材３０の連結頸部４０を中空支柱２０長手方向端部の矩形切欠溝２１に挟持状に受入れ保持するとともにその上記蟻形突起４１を中空支柱２０に固定した支柱キャップ５０の嵌入脚５２に配置した対向端面を厚肉傾斜した引寄切欠溝５３によって中空支柱２０内方に挟持状に引寄保持し且つ該支柱キャップ５０を中空支柱２０に固定したものとしてある。
【００１２】
また下位横桟２においては，同じく３２の一側に先端部を先割して対向先割部とした断面円形の嵌入突部３５及び該嵌入突部３５の外側に突出した複数の転び止めピン３４を一体成型したジョイント部材３１を形成し，該ジョイント部材３１の上記嵌入突部３５を発泡樹脂充填の横桟２端部の円形の嵌入孔８に嵌入し，転び止めピン３４を該横桟２端部の差込み孔９に挿入して横桟２外側面から嵌入突部３５の対向先割部に螺入したネジ３９で該対向先割部を拡開する一方，中空支柱２０に添設固定したピース状外れ止め部材６０の受入溝又は受入段部，本例にあっては受入段部６３に上記ジョイント部材３１の下端を受入れてその外れ止めを行なうことによって，上記上位横桟１と同時に中空支柱２０に取付ける下位横桟２の外れ止め手段を備えたものとしてある。
【００１３】
このとき本例にあって上位横桟１の支柱キャップ５０における固定は，これを，中空支柱２０外側面から支柱キャップ５０に螺入した固定ネジ５５によるものとし，また上記ジョイント部材３０は，その嵌入突部３５の対向先割部を一対のスリットによって３区分して外側一対の拡開部３６と中間の邪魔板３８とを備え，上記横桟１外側面から該対向先割部に螺入したネジ３９を該邪魔板３８に突当ててこれを押圧することにより嵌入突部３５一対の拡開部３６双方をＶ字状に拡開させてそのアンカー作用によってジョイント部材３０の横桟１に対する固定強度を確保したものとしてある。
【００１４】
即ち本例にあってジョイント部材３０，３１は，いずれも硬質ナイロン樹脂の射出成型によって一体成型した樹脂成型部品によるものとしてあり，横桟１，２の端面に突当て状に対接してこれを閉塞するようにした対接用の基板３２の中央位置に上記先端部を先割して対向先割部とした断面円形の嵌入突部３５を共通に突出したものとしてあり，本例にあって嵌入突部３５は，先端側に一対のスリットによって３区分した外側一対の拡開部３６と中間の邪魔板３８とを備え，該一対の拡開部３６にそれぞれネジ受孔３７を透設したものとしてあり，また上位横桟１用のジョイント部材３０にあっては，基板３２の裏面に，中空支柱２０の肉厚に相当する突出幅の上記連結頸部４０と，これに続く厚肉にして両側に連結頸部４０側に傾斜する傾斜面４２を形成して蟻形をなすようにした厚肉ブロック状の上記蟻形突起４１を備え，下位横桟２用のジョイント部材３１にあっては，基板３２の下部に該基板３２を部分的に薄肉化した段差薄肉の下端挿入部４４を備えたものとし，更に本例にあってジョイント部材３０，３１はいずれも基板３２の外周側に横桟１，２の端部を転び止め用に受入れる張出し縁部３３を部分的に備えるとともに基板３２の嵌入突部３５外側にしてコーナー位置に横桟１，２の端部における発泡樹脂７に転び止め用に差込み挿入する上記転び止めピン３４を複数，特に各コーナーに合計４本突設したものとしてある。
【００１５】
このとき上下位横桟１，２に対するジョイント部材３０，３１の設置は，本例にあって各横桟１，２の長手方向端部において発泡樹脂７の中央に円形の嵌入孔８と，各コーナーに小径の差込み孔９を，例えば治具を用いて設置し，嵌入孔８に嵌入突部３５を，差込み孔９に各転び止めピン３４をそれぞれ嵌入乃至挿入して，端部を張出し縁部３３に受入れて端面を基板３２対接状の転び止め状にして行うようにするとともに，各横桟１，２の位置決め用のネジ孔１０を介して一方の拡開部３６のネジ受孔５４にネジ，特にタッピングネジ３９を螺入し，先端を上記邪魔板３８に突当ててこれを押圧することにより，嵌入突部３５の拡開部３６双方をＶ字状に拡開させ，上記タッピングネジ３９と各横桟１，２の発泡樹脂７の有する弾性を利用したアンカー作用とによってその固定強度を確保するようにしてある。
【００１６】
本例にあって支柱キャップ５０は，同じく硬質ナイロン樹脂の射出成型によって一体成型した樹脂成型部品によるものとしてあり，中空支柱２０の上端を閉塞する頂壁５１と，該頂壁５１から垂下した中空支柱２０の中空部形状に添う下端開放中空厚肉矩形状の嵌入脚５２とを有するものとする一方，嵌入脚５２の一対の対向壁に，上記上位横桟１用のジョイント部材３０における蟻形突起４１の寸法に合わせた幅にして対向端面を蟻形突起４１の傾斜面４２に合わせて傾斜することによる対向端面厚肉傾斜の切欠引寄溝５３を，下端から上方中間位置に一連にしてピース状に形成したものとし，また嵌入脚５２の他の対向壁の一方にはネジ受孔５４を透設したものとしてある。
【００１７】
一方，本例にあって下位横桟２用の外れ止め部材６０は，例えばステンレス板にプレス加工を施した金属プレス成形部品によるものとしてあり，上下中間位置にして，上記下位横桟２用のジョイント部材３１における下端挿入部４４の厚さに応じた受入段部６３を介して上位に平板矩形状の支持壁６１を，下位に固定壁６２を有するものとし，支持壁６１と固定壁６２間にはこれらに亘る補強リブ６４を，固定壁６２には，上下に固定用の透孔６５と位置決め用の小突起６６を有してなるものとしてある。
【００１８】
このように構成した本例のジョイント部材３０，３１，支柱キャップ５０，外れ止め部材６０を用いた上下位横桟１，２の中空支柱２０への取付けは，上下位横桟１，２にそれぞれ上記のようにジョイント部材３０，３１を設置し，上位横桟１用のジョイント部材３０を，中空支柱２０の取付壁面を上端から上位横桟１用の取付位置に合うように切欠加工した矩形切欠溝２１に落し込み状にして，連結頸部４０を挾持状に受入れ保持し，支柱キャップ５０を中空支柱２０に嵌めることによって，蟻形突起４１を切欠引寄溝５３に嵌合状に係合させて，これを中空支柱２０内方に引寄せるとともに中空支柱２０の透孔２２を介してネジ５５固定する一方，これにより中空支柱２０の下方に対接することになるジョイント部材３１の下端挿入部４４を，固定壁６２の透孔６５を介して中空支柱２０の固定孔２３にリベット６７止めした外れ止め部材６０の支持壁６１によって，受入段部６３で下端挿入部４４の厚みを吸収して支持することによりこれを受入れ保持するようにし，又はジョイント部材３１の下端挿入部４４に支持壁６１を押付け状にして外れ止め部材６０を中空支柱２０に後付け状に設置することにより，同様にこれを受入れ保持するようにしてあり，これにより本例にあっては，例えば中空支柱２０間にフェンスＡを落し込み状に装着し得るものとする如くに，取付作業を容易化し，上位横桟１のジョイント部材３０を基準にした上下位横桟１，２の中空支柱２０への同時取付を行うものとし，併せて長期に亘る中空支柱２０に対する横桟１，２の取付強度を確保したものとしてある。
【００１９】
図中２４は中空支柱２０の小突起６６受け用の位置決め孔，４３は上位横桟１のジョイント部材３０における起立フイン５と中空支柱２０との隙間防止用のスペーサー突起である。
【００２０】
図示した例は以上のとおりとしたが，本発明の実施に当っては，支柱キャップの中空支柱に対する固定を，中空支柱外側面から支柱キャップに対して打込んだリベットによるものとし，又は中空支柱の透孔に対する支柱キャップのスナップイン突起によるものとすること，上記上位横桟用とした支柱取付装置を桟組体の上下位横桟に共通に使用すること，下位横桟の外れ止め手段を追加的に備えるとき，そのピース状外れ止め部材を，ジョイント部材の下端を受入れる受入溝を有するものとすること，嵌合突部の上記邪魔板を省略して，ネジでレ字状とするように拡開部を拡開するものとすること，更にジョイント部材，支柱キャップを，例えばアルミ鋳物の金属鋳造部品とすること等を含めて，桟組体，発泡樹脂充填の横桟，ジョイント部材，嵌合突部，連結頸部，蟻形突起，中空支柱，支柱キャップ，切欠引寄溝，必要に応じて使用することある外れ止め手段等の各具体的材質，形状，構造，これらの関係，これらに対する付加，取付の手順等の態様は，前記発明の要旨に反しない限り適宜のものとすることができる。
【００２１】
【発明の効果】
本発明は以上のとおりに構成したので，桟組体の発泡樹脂充填の横桟を中空支柱に取付けるについて，該発泡樹脂充填の横桟に好適なジョイント部材を用いて，これを中空支柱長手方向端部の矩形切欠溝に端部から落し込み状乃至挿入状に装着することにより，中空支柱に対するジョイント部材の自動的な位置出しを行うようにして取付作業の容易化を図り，また上記中空支柱に装着したジョイント部材を，中空支柱内において該中空支柱に固定した支柱キャップによって中空支柱内方に引寄保持することによって，緩みのない中空支柱に対するジョイント部材の保持を行い，該ジョイント部材に接合した横桟の中空支柱に対する長期に亘る充分な取付強度を確保した桟組体横桟の支柱取付装置を提供することができる。
【００２２】
請求項２に記載の発明は，上記に加えて，上記ジョイント部材の対向先割部が発泡樹脂充填の横桟に対してアンカー作用を確保したものとすることができる。
【００２３】
請求項３に記載の発明は，同じく上記に加えて，上記支柱取付装置を上位横桟用とする一方，該上位横桟と同時に中空支柱に取付ける下位横桟の外れ止め手段を追加的に備えることによって，容易な作業によってこれら上下位横桟を同時取付し得るものとすることができる。
【図面の簡単な説明】
【図１】  フェンスの正面図である。
【図２】  図１のＡ−Ａ線縦断面図である。
【図３】  図１のＢ−Ｂ線横断面図である。
【図４】  中空支柱と横桟との関係を示す分解斜視図である。
【図５】  中空支柱とジョイント部材との関係を示す縦断面図である。
【図６】  中空支柱とジョイント部材との関係を示す横断面図である。
【図７】  中空支柱と一側におけるジョイント部材との関係を示す縦断面図である。
【図８】  中空支柱と一側におけるジョイント部材との関係を示す横断面図である。
【図９】  ジョイント部材と横桟との関係を示す横断面図である。
【図１０】  ジョイント部材の正面図である。
【図１１】  ジョイント部材の平面図である。
【図１２】  ジョイント部材の側面図である。
【図１３】  ジョイント部材の正面図である。
【図１４】  支柱キャップの側面図である。
【図１５】  支柱キャップの底面図である。
【符号の説明】
Ａ  フェンス
１  上位横桟
２  下位横桟
７  発泡樹脂
８  嵌入孔
２０  支柱
２１  矩形切欠溝
３０  ジョイント部材
３１  ジョイント部材
３２  基板
３５  嵌合突部
３９  ネジ
４０  連結頸部
４１  蟻形突起
４４  下端挿入部
５０  支柱キャップ
５２  嵌入脚
５３  切欠引寄溝
５５  固定ネジ
６０  外れ止め部材
６３  受入段部
【図１】
0003675888.tif 000002
【図２】
0003675888.tif 000003
【図３】
0003675888.tif 000004
【図４】
0003675888.tif 000005
【図５】
0003675888.tif 000006
【図６】
0003675888.tif 000007
【図７】
0003675888.tif 000008
【図８】
0003675888.tif 000009
【図９】
0003675888.tif 000010
【図１０】
0003675888.tif 000011
【図１１】
0003675888.tif 000012
【図１２】
0003675888.tif 000013
【図１３】
0003675888.tif 000014
【図１４】
0003675888.tif 000015
【図１５】
0003675888.tif 000016